(57)【要約】【課題】  本発明はパネル面の反りの発生を抑制し、少ない材料で効率的な収納が可能なダンボール製間仕切り装置を提供すること。【解決手段】  ダンボール製間仕切りを複数枚結合して構成されるダンボール製間仕切り装置であって、１枚のダンボール製間仕切りは、矩形ダンボール板の四辺に沿う４つの補強用周縁部を板面から延出形成し、これら補強用周縁部を同一方向に起立させて起立周縁部を形成することにより構成し、上記各起立周縁部に結合用長孔を複数貫設し、２枚のダンボール製間仕切りの起立周縁部同士を接合し、両間仕切りの上記結合用長孔の位置を合わせて両結合用長孔内に上記結合片を挿入し、当該結合片の挟持用スリットを以って上記両起立周縁部のダンボール面同士を挟持することにより、複数のダンボール製間仕切りを連結し得るように構成した。【選択図】図１
2008138391.tif 000002
【特許請求の範囲】
【請求項１】
ダンボール製間仕切りを複数枚結合することにより構成されるダンボール製間仕切り装置であって、
１枚のダンボール製間仕切りは、矩形ダンボール板の四辺に沿う４つの補強用周縁部を板面から延出形成し、これら補強用周縁部を上記板面に対して同一方向に起立させ、各補強用周縁部のコーナ部同士を連結して当該矩形ダンボール板の周囲に起立周縁部を形成することにより構成し、
かつ上記各起立周縁部に結合用長孔を複数貫設し、
これら結合用長孔を介して２つのダンボール製間仕切りの起立周縁部同士を挟持し得る挟持用スリットを有する結合片を複数枚形成し、
２枚のダンボール製間仕切りの起立周縁部同士を接合し、両間仕切りの上記結合用長孔の位置を合わせて両結合用長孔内に上記結合片を挿入し、当該結合片の挟持用スリットを以って上記結合用長孔を介して上記両起立周縁部のダンボール面同士を挟持することにより、複数のダンボール製間仕切りを連結し得るように構成したものであることを特徴とするダンボール製間仕切り装置。
【請求項２】
上記補強用周縁部のコーナ部における隣接する端部に各々補強用コーナ片を延出形成し、上記補強用周縁部を起立させた状態において上記補強用コーナ片を重合させることにより各コーナ部において各補強用周縁部を連結するものであることを特徴とする請求項１記載のダンボール製間仕切り装置。
【請求項３】
上記結合用長孔を上記板面と上記補強用周縁部との折目線に沿って設け、２枚のダンボール製間仕切りの起立周縁部を直交させた状態で接合し、両結合用長孔の位置を合わせて両結合用長孔内に上記結合片を挿入し、当該結合片の挟持用スリットを以って上記結合用長孔を介して上記両起立周縁部のダンボール同士を挟持することにより、上記ダンボール製間仕切りを直交状態で連結し得るように構成したものであることを特徴とする請求項１又は２記載のダンボール製間仕切り装置。
【請求項４】
上記結合片は、その両端部に互いに対向する方向に伸びる挟持用スリットを形成し、両スリット間の距離を上記結合用長孔の長さに略一致させ、
かつ上記結合片を上記スリットの形成されていない中間部で２分割し、
上記２分割された一方の結合片の挟持用スリットによって上記結合用長孔の一端部側の両起立周縁部のダンボール面同士を挟持し、
上記２分割された他方の結合片の挟持用スリットによって上記結合用長孔の他端部側の両起立周縁部のダンボール面同士を挟持することにより、
上記一対の結合片により上記結合用長孔を隙間なく閉鎖し得るように構成したものであることを特徴とする請求項１〜３の何れかに記載のダンボール製間仕切り装置。
【請求項５】
上記結合片は、ミシン目を介して２分割可能に形成したものであることを特徴とする請求項４記載のダンボール製間仕切り装置。
【請求項６】
矩形ダンボール板の四辺に沿って折目線を介して４つの補強用周縁部を板面から延出形成し、
上記矩形ダンボール板の各コーナ部において、隣接する補強用周縁部の各端部に折目線を介して補強用コーナ片を設けると共に、上記補強用周縁部を上記板面に対して同一方向に起立させた状態において、上記補強用コーナ片同士を重合させることによって上記各コーナ部において各補強用周縁部を連結し得るように構成し、
かつ上記各補強用周縁部に結合用長孔を複数貫設し、
さらに上記結合用長孔に挿通可能な結合片を上記補強用周縁部の外縁に沿って上記板面と一体的に複数個形成すると共に、これらの結合片と上記外縁との間にミシン目を形成して上記結合片を上記補強用周縁部から切り離し可能に形成したものであることを特徴とするダンボール製間仕切り形成用ダンボール板。
【請求項７】
上記１つの結合片は、その両端部に同一直線上に互いに対向する方向に伸びる挟持用スリットを有し、かつ両スリット間の距離が上記結合用長孔の長さに略一致するように形成されており、
かつ上記各結合片は上記スリットの形成されていない中間部でミシン目を介して２分割し得るように形成されているものであることを特徴とする請求項６記載のダンボール製間仕切り形成用ダンボール板。
【発明の詳細な説明】
【技術分野】
【０００１】
本発明は避難所等での使用に好適であり、少ない材料で反り等の発生し難いダンボール製間仕切り装置及び間仕切り形成用ダンボール板に関するものである。
【背景技術】
【０００２】
従来、避難所等で使用されるダンボール製の間仕切りには、間仕切りとして使用する広い面積の１枚の長方形状のダンボールパネルと、そのダンボールパネルを起立状態に保持する足部材と、複数のパネルを接続するための柱部材とから構成されており、これら複数のダンボールパネルと、足部材と、柱部材を組み合わせることにより、間仕切りを構成するものが提案されている（特許文献１，２，３）。
【０００３】
また、パネルとして使用するダンボールの強度を保つために、ダンボールパネルを厚みの薄い箱状に構成し、当該箱状のダンボールパネルを両面テープ等で左右又は上下に接続することにより間仕切りを構成するものが提案されている（特許文献４）。
【０００４】
【特許文献１】特開２００６−１６１３１０号公報
【特許文献２】特開２００６−２０４６５２号公報
【特許文献３】特開２００３−１２９５９３号公報
【特許文献４】特開２００６−１６１５２３号公報
【発明の開示】
【発明が解決しようとする課題】
【０００５】
ところで、特許文献１〜３に記載の間仕切りは、パネルとして使用されるダンボールが１枚であるため、起立状態で使用すると、温度或は湿度変化等により反りが生じ、間仕切りとして使用できなくなるおそれがある。また、特許文献１〜３に記載の間仕切りは、ダンボールパネル起立用の足部材や、パネル接続用の柱部材が複数必要であるため、部品点数が多く、組み立て及び保管が面倒であるとの課題もある。
【０００６】
また特許文献４に記載の間仕切りは、パネル自体が箱型であるためパネルとしての強度は高く容易に反りが生じない構造ではあるが、パネル自体に使用されるダンボール使用量が極めて多く非効率的であるとの課題がある。
【０００７】
さらに、この種のパネルは、未使用時の収容スペースが小であることが必要であるが、上記特許文献４に記載の間仕切りは、箱状パネルのまま保管するとすれば非常に大きな収容スペースが必要であり、箱状パネルを展開したとしても１枚のパネルが少なくとも２枚分の厚みを要するので、効率的な収容ができないとの課題がある。
【０００８】
本発明は上記従来の課題に鑑みてなされたものであり、反り等の発生の問題を解決すると共に少ない材料にて効率的な収容の可能なダンボール製間仕切りを提供することを目的とする。
【課題を解決するための手段】
【０００９】
上記の目的を達成するため本発明は、
第１に、ダンボール製間仕切りを複数枚結合することにより構成されるダンボール製間仕切り装置であって、１枚のダンボール製間仕切りは、矩形ダンボール板の四辺に沿う４つの補強用周縁部を板面から延出形成し、これら補強用周縁部を上記板面に対して同一方向に起立させ、各補強用周縁部のコーナ部同士を連結して当該矩形ダンボール板の周囲に起立周縁部を形成することにより構成し、かつ上記各起立周縁部に結合用長孔を複数貫設し、これら結合用長孔を介して２つのダンボール製間仕切りの起立周縁部同士を挟持し得る挟持用スリットを有する結合片を複数枚形成し、２枚のダンボール製間仕切りの起立周縁部同士を接合し、両間仕切りの上記結合用長孔の位置を合わせて両結合用長孔内に上記結合片を挿入し、当該結合片の挟持用スリットを以って上記結合用長孔を介して上記両起立周縁部のダンボール面同士を挟持することにより、複数のダンボール製間仕切りを連結し得るように構成したものであることを特徴とするダンボール製間仕切り装置により構成される。
【００１０】
このように構成すると、ダンボール製間仕切りの周囲に起立周縁部が存在するので、間仕切りの板面を補強することができ、１枚の矩形ダンボール板により反りの少ない間仕切りを実現することができ、少ない材料で収納効率の高い間仕切り装置を実現し得る。上記結合片は、結合片部品（９）により構成することができ、２つのダンボール製間仕切りの連結用には例えば結合片（９ａ）のみを使用することもできるし、結合片（９ａ）と目隠し用ロック片（９ｂ）の両方を使用しても良い。
【００１１】
第２に、上記補強用周縁部のコーナ部における隣接する端部に各々補強用コーナ片を延出形成し、上記補強用周縁部を起立させた状態において上記補強用コーナ片を重合させることにより各コーナ部において各補強用周縁部を連結するものであることを特徴とする上記第１記載のダンボール製間仕切り装置により構成される。
【００１２】
このように構成すると、起立周縁部を容易に構成することができ、組み立て容易でかつ強度を有する間仕切り装置を実現し得る。
【００１３】
第３に、上記結合用長孔を上記板面と上記補強用周縁部との折目線に沿って設け、２枚のダンボール製間仕切りの起立周縁部を直交させた状態で接合し、両結合用長孔の位置を合わせて両結合用長孔内に上記結合片を挿入し、当該結合片の挟持用スリットを以って上記結合用長孔を介して上記両起立周縁部のダンボール同士を挟持することにより、上記ダンボール製間仕切りを直交状態で連結し得るように構成したものであることを特徴とする上記第１又は２記載のダンボール製間仕切り装置により構成される。
【００１４】
このように構成すると、結合片によりダンボール製間仕切りを水平に連結し得ると共に、同一の結合片により直交状態にも連結し得て、直交状態に連結するのに特別な部品を必要としない。
【００１５】
第４に、上記結合片は、その両端部に互いに対向する方向に伸びる挟持用スリットを形成し、両スリット間の距離を上記結合用長孔の長さに略一致させ、かつ上記結合片を上記スリットの形成されていない中間部で２分割し、上記２分割された一方の結合片の挟持用スリットによって上記結合用長孔の一端部側の両起立周縁部のダンボール面同士を挟持し、上記２分割された他方の結合片の挟持用スリットによって上記結合用長孔の他端部側の両起立周縁部のダンボール面同士を挟持することにより、上記一対の結合片により上記結合用長孔を隙間なく閉鎖し得るように構成したものであることを特徴とする上記第１〜３の何れかに記載のダンボール製間仕切り装置により構成される。
【００１６】
このように構成すると、一対の結合片により結合用長孔を隙間無く閉鎖することができ、間仕切り内部のプライバシーを確保し得る。
【００１７】
第５に、上記結合片は、ミシン目を介して２分割可能に形成したものであることを特徴とする上記第４記載のダンボール製間仕切り装置により構成される。
【００１８】
上記ミシン目は、図１１（ａ）に示すように細かい孔を連続的に設けたものも、同図（ｂ）に示すように、数箇所の連結部分を残してその余の部分に大きな切れ込みを設けたもの、何れも含む概念である。
【００１９】
第６に、矩形ダンボール板の四辺に沿って折目線を介して４つの補強用周縁部を板面から延出形成し、上記矩形ダンボール板の各コーナ部において、隣接する補強用周縁部の各端部に折目線を介して補強用コーナ片を設けると共に、上記補強用周縁部を上記板面に対して同一方向に起立させた状態において、上記補強用コーナ片同士を重合させることによって上記各コーナ部において各補強用周縁部を連結し得るように構成し、かつ上記各補強用周縁部に結合用長孔を複数貫設し、さらに上記結合用長孔に挿通可能な結合片を上記補強用周縁部の外縁に沿って上記板面と一体的に複数個形成すると共に、これらの結合片と上記外縁との間にミシン目を形成して上記結合片を上記補強用周縁部から切り離し可能に形成したものであることを特徴とするダンボール製間仕切り形成用ダンボール板により構成される。
【００２０】
このように構成すると、１枚の矩形ダンボール板により結合用の部品を含めたダンボール製間仕切りを形成することができ、例えばダンボール板の打ち抜き形成により容易に製造することができる。
【００２１】
第７に、上記１つの結合片は、その両端部に同一直線上に互いに対向する方向に伸びる挟持用スリットを有し、かつ両スリット間の距離が上記結合用長孔の長さに略一致するように形成されており、かつ上記各結合片は上記スリットの形成されていない中間部でミシン目を介して２分割し得るように形成されているものであることを特徴とする上記第６記載のダンボール製間仕切り形成用ダンボール板により構成される。
【発明の効果】
【００２２】
本発明は上述のように、１枚の矩形ダンボール板により反りの少ない間仕切りを実現することができ、少ない材料で収納効率の高いダンボール製間仕切り装置を実現し得る。
【００２３】
また、同一の結合片により、ダンボール製間仕切りを水平状態にも直交状態にも連結し得て、柱を必要としないので、少ない部品で組み立て容易なダンボール製間仕切り装置を実現し得る。
【００２４】
また、２分割して結合片を使用することにより、結合用長孔を隙間無く閉鎖することができ、覗きを防止して間仕切り内部のプライバシーを確保し得る。
【００２５】
また、１枚の矩形ダンボール板により結合片を含めたダンボール製間仕切りを形成することができ、ダンボール製間仕切りを容易かつ効率的に製造することができる。
【発明を実施するための最良の形態】
【００２６】
図１は、本発明に係るダンボール製間仕切りの組み立て前の展開状態を示す図である。尚、説明の便宜上、図１の正面図において紙面上の上下、左右をダンボール製間仕切りの上下位置、左右位置とする。
【００２７】
同図において、１は組み立て前のダンボール製間仕切りであり、当該組み立て前の間仕切り１は、正方形状をなす板面２と、当該板面２の周縁に折目線３ａ，３ｂ，３ｃ，３ｄを介して設けられた補強用周縁部４ａ，４ｂ，４ｃ，４ｄを具備している。尚、ダンボール製間仕切り１の形状は正方形状に限定されず、長方形状等の矩形であれば良い。
【００２８】
これらの補強用周縁部４ａ乃至４ｄは各々の辺に沿って外側に延出するように、各折目線３ａ乃至３ｄに沿う長方形状に設けられ、組み立て状態においては、図４に示すように、起立状態となって補強用の起立周縁部４’を形成するものである。
【００２９】
上記補強用周縁部４ａの左右の両端部には、直線状折目線５ａ，５ｂを介して周縁部４ａの長手方向に沿って左右に延びる方形の補強用コーナ片６ａ，６ｂが形成されており、この補強用コーナ片６ａ，６ｂは隣接する補強用周縁部４ｄ，４ｂの端部４ｄ’、４ｂ’とは接続されずに切り離されている。また、上記補強用周縁部４ｃの左右の両端部には、直線状折目線５ｃ，５ｄを介して周縁部４ｃの長手方向に沿って左右に延びる方形の補強用コーナ片６ｃ，６ｄが形成されており、この補強用コーナ片６ｃ，６ｄは隣接する補強用周縁部４ｄ，４ｂの端部４ｄ”，４ｂ”とは接続されずに切り離されている。
【００３０】
上記補強用周縁部４ｂの上下の両端部には、直線状の折目線５ｅ，５ｆを介して方形の補強用コーナ片６ｅ，６ｆが上記周縁部４ｂの外側に突出するように設けられている。また、上記補強用周縁部４ｄの上下の両端部には、直線状の折目線５ｇ，５ｈを介して方形の補強用コーナ片６ｇ，６ｈが上記周縁部４ｄの外側に突出するように設けられている。
【００３１】
また、上記補強用コーナ片６ａ，６ｂの上向きの辺、上記補強用コーナ片６ｃ，６ｄの下向きの辺には、各々係合突起７が設けられており、これらの係合突起７の係合用孔７’が上記補強用コーナ片６ｅ，６ｆ，６ｇ，６ｈの上記折目線５ｅ，５ｆ，５ｇ、５ｈの線上に開口形成されている。
【００３２】
さらに上記補強用コーナ片６ｅ，６ｆの右向きの辺、上記補強用コーナ辺６ｇ，６ｈの左向きの辺には各々係合突起８が設けられており、これらの係合突起８の係合用孔８’が、上記折目線３ｂ上における上記係合突起６ｅ，６ｆの係合突起８に対応する上端部と下端部、及び上記折目線３ｄ上における上記係合突起６ｇ，６ｈの係合突起８に対応する上端部と下端部に各々開口形成されている。
【００３３】
９は結合片（一方の結合片）９ａと目隠用ロック片（他方の結合片）９ｂとから構成された結合片部品（結合片）であり、上記パネル部の右側及び左側の各辺２ａ，２ｂ（補強用周縁部４ｂ，４ｄの外縁）に沿って、当該各辺２ａ，２ｂにミシン目１０を介して取り外し可能に設けられている（図１、図１１（ａ）（ｂ）参照）。即ち、これらの結合片部品９は、図１に示すように、上記板面２（補強用周縁部４ｂ）の右辺２ａに沿って６個が縦列状態で板面２（補強用周縁部４ｂ）と一体的に形成されており、各結合片部品９と板面２（補強用周縁部４ｂ）との境界はミシン目１０が形成されており、各結合片部品９は上記板面２（補強用周縁部４ｂ）の辺２ａから切り離し可能となっている。
【００３４】
さらに、上記縦列に形成された各結合部品９同士、即ち、結合片部品９の目隠用ロック片９ｂ下端と、その結合片部品９に隣接する結合片部品９の結合片９ａの上端もミシン目１４を介して接続されており（図１１（ａ）（ｂ）参照）、互いに切り離し可能となっている。尚、板面２（補強用周縁部４ｄ）の左側の辺２ｂも上記辺２ａと同様であり、６個の結合片部品９が縦列状態でミシン目１０、１４を介して板面２（補強用周縁部４ｄ）と一体的に形成されている。
【００３５】
上記結合片部品９の形状は、全て共通であるので、その１つについて説明すると、上記結合片９ａと目隠用ロック片９ｂとは２つの湾曲面を接続した波形ミシン目１１により上記スリットの構成されていない中間部Ｍから分割可能に設けられており（図１、図１１(ａ)(ｂ)参照）、上記板面２から分離した後は、当該波形ミシン目１１を介して互いに分離して使用する（図２参照）。
【００３６】
上記結合片９ａは、一端部に、上記ミシン目１１に沿う凸状湾曲面１１ａと凹状湾曲面１１ｂが形成されており、他端には、結合用長孔１５，１５’に差し込むための挟持用長スリット(挟持用スリット)１２が中央に形成された挟持部１２’が形成されている。また、上記スリット１２の端部両側は係合用長孔１５，１５’に挿入し易いように半円弧状部１２ａ，１２ａが形成されている。
尚、上記ミシン目１０、１１、１４は、図１１（ａ）に示すように細かい孔を連続的に設けても良いが、同図（ｂ）に示すように、数箇所の連結部分を残してその余の部分に大きな切れ込みを設けても良い。よって本発明においては、図１１（ａ）（ｂ）の何れの場合もその分離境界線に沿う部分を「ミシン目」と呼ぶ。
【００３７】
上記目隠用ロック片９ｂは、一端部に、上記凸状湾曲面１１ａに対応する凹状湾曲面１１ａ’と、上記凹状湾曲面１１ｂに対応する凸状湾曲面１１ｂ’が形成されており、他端には、結合用長孔１５，１５’に差し込むための挟持用短スリット（挟持用スリット）１３が中央に形成された挟持部１３’が形成されている。また、上記スリット１３の端部両側は係合穴に挿入し易いように半円弧状部１３ａ，１３ａが形成されている。
【００３８】
また、上記結合片部品９の両スリット１２，１３は、該部品９の長手方向中心線に沿って互いに対向する方向に形成されており、両スリット１２，１３間の距離（最短距離）Ｔは、上記結合用長孔の長さｔに略一致するように構成している（図８参照）。
【００３９】
１５ａ，１５ｂ，１５ｃは上記板面２の上辺の折目線３ａに沿って等間隔で貫通形成された結合用長孔、１５ｄ，１５ｅ、１５ｆは上記板面２の右辺の折目線３ｂに沿って等間隔で貫通形成された結合用長孔、１５ｇ，１５ｈ、１５ｉは上記板面２の下辺の折目線３ｃに沿って等間隔で貫通形成された結合用長孔、１５ｊ，１５ｋ、１５ｌは上記板面２の左辺の折目線３ｄに沿って等間隔で貫通形成された結合用長孔である。尚、これらの結合用長孔は特に位置を特定しない場合は符号１５で示す。
【００４０】
１５ａ’，１５ｂ’，１５ｃ’は上記板面２の上辺の補強用周縁部４ａの板面において、上記結合用長孔１５ａ乃至１５ｃの貫設位置に対応する位置（平行移動した位置）に各々貫通形成された結合用長孔、１５ｄ’，１５ｅ’，１５ｆ’は上記板面２の右辺の補強用周縁部４ｂの板面において、上記結合用長孔１５ａ乃至１５ｃの貫設位置に対応する位置（平行移動した位置）に各々等間隔で貫通形成された結合長孔、１５ｇ’，１５ｈ’，１５ｉ’は上記板面２の下辺の補強用周縁部４ｃの板面において、上記結合用透孔１５ｇ乃至１５ｉの貫設位置に対応する位置（平行移動した位置）に各々等間隔で貫通形成された結合用長孔、１５ｊ’，１５ｋ’，１５ｌ’は上記板面２の左辺の補強用周縁部４ｄの板面において、上記結合用透孔１５ｊ乃至１５ｌの貫設位置に対応する位置（平行移動した位置）に各々等間隔で貫通形成された結合用長孔である。尚、これらの結合用長孔は特に位置を特定しない場合は符号１５’で示す。
【００４１】
上記結合用長孔１５は上記補強用周縁部４を起立させた場合に、折目線３ａに沿うコーナー部に位置するため、図１の展開状態ではその開口の幅ｔ’は上記結合用長孔１５’の幅の約２倍に形成されている。
【００４２】
これらの結合用長孔１５、１５’は、２枚以上の当該ダンボール製間仕切り１の起立周縁部４’同士を接合し（図７参照）、隣接する間仕切り１の結合用長孔１５、１５’の位置が合うように両長孔１５，１５’同士を接合し、両方の結合用長孔１５、１５’内に上記結合片９ａの挟持用スリット１２を各々挿入し、当該結合片９ａの挟持用スリット１２を以って上記結合用長孔１５，１５’を介して上記両起立周縁部４’のダンボール面同士を挟持することにより、複数のダンボール製間仕切り１を連結し得るように構成している。
【００４３】
本発明のダンボール製間仕切り１は、図１のように１枚の矩形ダンボール板を同図に示すように打ち抜くことで容易に形成することができる。この場合、図１中の折目線３ａ乃至３ｄ、折目線５ａ乃至５ｄ、折目線５ｅ乃至５ｈはダンボール面に凹部を形成することにより上記打ち抜きと同時に形成し、さらに同図中ミシン目１０，１１，１４も上記打ち抜きと同時に形成することができる。
【００４４】
本発明のダンボール製間仕切りは上述のように構成されるものであるから、以下その組み立て方法を説明する。
【００４５】
まず、展開状態のダンボール製間仕切り１から結合片部品９を全て切り離す。この場合、各結合片部品９は板面２（補強用周縁部４ｂ又は４ｄ）に対してミシン目１０により連結されているため、当該ミシン目１０に沿って容易に切り離すことができる。この場合、結合片部品９同士はミシン目１４に沿って切り離す。次に、切り離した結合片部品９の結合片９ａと目隠用ロック片９ｂとを切り離す。この場合も、結合片９ａと目隠用ロック片９ｂはミシン目１１にて連結されているので、容易に切り離すことができる。
【００４６】
次に、ダンボール製間仕切り１を組み立てる。まず、折目線３ａ乃至３ｄに沿って補強用周縁部４ａ乃至４ｄを９０度の角度で同一方向に起立させ、補強用周縁部４ａ、４ｃの補強用コーナ片６ａ，６ｂ，６ｃ，６ｄを起立した補強用周縁部４ａ，４ｃに対して９０度の角度で内側に折り曲げ、折目線３ｂ，３ｄに沿う状態とする（図３（ａ）（ｂ）参照）。
【００４７】
次に、補強用周縁部４ｂ，４ｄを９０度の角度で起立させ、補強用周縁部４ｂ，４ｄの補強用コーナ片６ｅ，６ｆ，６ｇ，６ｈを、各々下側に折り曲げて各コーナ片を重合させる（図３（ｃ）参照）。このようにすることにより、補強用コーナ部６ａ乃至６ｄの各係合突起７が各々対応する係合用孔７’内に嵌合し、かつ折り曲げた補強用コーナ片６ｅ乃至６ｈの各係合突起８が各々対応する係合用孔８’内に嵌合し、これにより補強用周縁部４ａ乃至４ｄのコーナ部同士を連結する。その結果、図４に示すように、板面２の四辺に起立状態の起立周縁部４’を形成することができる。このような構成の間仕切り１は、起立周縁部４’が方形の板面２の四辺に形成されており、各周縁部同士は、補強用コーナ辺により結合されているため、板面２が補強され、板面２の反りの発生を効果的に抑制することができる。
【００４８】
次に出来上がった間仕切り１同士を水平に接続する場合は、図６、図７に示すように、間仕切り１を２枚用意し、補強用周縁部４ｂと補強用周縁部４ｄを接合し、両間仕切りの結合用長孔１５同士（３箇所、例えば結合用長孔１５ｆと１５ｊ）、及び結合用長孔１５’同士（３箇所、例えば結合用長孔１５ｆ’と１５ｊ’）の位置を合わせ、結合片９ａを上記起立周縁部４’に直交する方向で上記結合用長孔１５に中央部まで挿入し、結合用長孔１５の上端部（一端部）１８ａが上記スリット１２の下端１２”に位置するまで結合片９ａを上方にスライドさせる。これにより、上記両間仕切りの補強用周縁部４ｂと補強用周縁部４ｄとを結合片９ａの挟持部１２’により挟持することができる。即ち、当該結合片９ａの挟持部１２’の挟持用スリット１２を以って上記結合用長孔１５を介して上記両起立周縁部４’のダンボール面同士を挟持することにより、２枚のダンボール製間仕切り１を連結する（図８（ｂ）参照）。
【００４９】
次に、目隠用ロック片９ｂを図８に示すように、結合片９ａの凸状湾曲面１１ａとロック片９ｂの凸状湾曲面１１ｂ’とを合わせるように上記起立周縁部４’に直交する方向で上記結合用長孔１５に挿入し、上記結合用長孔１５の下端部（他端部）１８ｂが上記スリット１３の上端１３”に位置するまで当該孔１５に挿入する。これにより、上記両間仕切りの補強用周縁部４ｂと補強用周縁部４ｄとを目隠し用ロック片９ｂの挟持部１３’により挟持することができる。即ち、当該ロック片９ｂの挟持部１３’の挟持用スリット１３を以って上記結合用長孔１５を介して上記両起立周縁部４’のダンボール面同士を挟持する。このようにすると、上記スリット１２の下端１２”と上記スリット１３の上端１３”との距離Ｔは、上記孔の長手方向の長さｔと略一致する距離に設定してあるので、上記結合片９ａと目隠し用ロック片９ｂが接合した状態で（図８（ｃ）の状態）、ロック片９ｂを上記結合用長孔１５に嵌合することができる（図８参照）。
【００５０】
上記間仕切りの連結は、上記結合片９ａのみでも可能であるが、当該結合片９ａのみで連結すると、図８（ｂ）に示すように結合用長孔１５の一部（下側）に空間Ｓが形成されてしまい、当該空間Ｓを介して外部から間仕切り内部を覗かれるおそれがある。そこで、上記目隠用ロック片９ｂを上記結合用長孔１５に嵌合することにより、上記空間Ｓを塞いで、覗きを完全に防止するものである（図８（ｃ）参照）。尚、目隠し用ロック片９ｂを結合用長孔１５に嵌合することで、２枚の間仕切りの結合強度を向上するという効果もある。さらに、目隠し用ロック片９ｂを上記長孔１５に嵌合することにより、結合片９ａの脱落を防止し、当該結合片９ａを抜脱不能にロックすることができる。
【００５１】
さらに、上記結合用長孔１５’にも同様に上記結合片部品９を同様に嵌合して、前後方向の同一高さ位置の２枚の結合片部品９，９により上記間仕切り１同士を連結する（図７参照）。
【００５２】
尚、図７に示す実施形態は、結合用長孔１５に対して結合片９ａを上側に取り付けているが、図１２に示すように結合片９ａを下側、目隠し用ロック片９ｂを上側に設けても良い。
【００５３】
次に、ダンボール製間仕切り１を直角状態に連結する場合は、図１３に示すように、２枚のダンボール製間仕切り１の補強用周縁部４ｄ，４ｂ（起立周縁部４’）を直交させた状態で接合し、両結合用長孔１５（例えば結合用長孔１５ｋ、１５ｅ）の位置を合わせて両結合用長孔１５内に上記結合片部品９（結合片９ａ及び目隠し用ロック片９ｂ）を交差するように挿入し、当該結合片部品９の挟持用スリット１２，１３を以って上記結合用長孔１５を介して上記両起立周縁部４’のダンボール同士（直角折曲部同士）を同様に挟持することにより、上記ダンボール製間仕切りを直交状態で連結することができる。尚、この場合、結合片部品９と結合用長孔１５との結合には若干の遊びが形成されるので（図１３（ｂ）参照）、図１３に示す結合状態において、結合部Ｋを中心として各ダンボール製間仕切り１を同図の矢印Ｙ方向に角度変化させることができ、設置場所に応じて間仕切りの角度θを変化させることができる（図１３（ｂ）参照）。
【００５４】
そして、複数のダンボール製間仕切り１を水平（左右方向）又は直交状態で連結すると共に、上下方向にも水平に連結することにより、図９、図１０に示すように任意の形状及び任意の大きさの間仕切りを形成することができる。
【００５５】
本発明は上述のように、ダンボール製間仕切り１の周囲に起立周縁部４’が存在するので、間仕切り１の板面２を補強することができ、１枚の矩形ダンボール板により反りの少ない間仕切りを実現することができ、少ない材料で収納効率の高い間仕切り装置を実現し得る。
【００５６】
また、起立周縁部４’を容易に構成することができ、組み立て容易でかつ強度を有する間仕切り装置を実現し得る。
【００５７】
また、結合片部品９（結合片９ａ、目隠し用ロック片９ｂ）によりダンボール製間仕切りを水平に連結し得ると共に、同一の結合片部品９により直交状態にも連結し得て、間仕切り１を直交状態に連結するのに特別な部品を必要としない。
【００５８】
また、間仕切り１を構成する上で柱を必要としないので、少ない部品点数で組み立て容易なダンボール製間仕切り装置を実現し得る。
【００５９】
また、一対の結合片部品９（結合片９ａ、目隠し用ロック片９ｂ）により結合用長孔１５を隙間無く閉鎖することができ、覗きを防止して間仕切り内部のプライバシーを確保し得る。
【００６０】
また、１枚の矩形ダンボール板により結合片部品９を含めたダンボール製間仕切り１を形成することができ、ダンボール板の打ち抜き形成等により容易かつ効率的に製造することができる。
尚、本発明におけるダンボール板の厚みはＢフルート等が好ましいが、より厚みの薄いマイクロフルートでも実現可能であるし、Ｂフルートより厚みの大きいダンボール板であっても良い。また、プラスチックダンボールにより構成することも可能である。
【産業上の利用可能性】
【００６１】
本発明のダンボール製間仕切り装置は、例えば自然災害時の避難場所等の広い場所において、避難者のプライバシーを確保するために極めて有効に使用し得るものである。
【図面の簡単な説明】
【００６２】
【図１】本発明に係るダンボール製間仕切り装置のダンボール製間仕切りの展開状態の正面図である。
【図２】同上間仕切りの展開状態のコーナ部及び結合片部品の正面図である。
【図３】（ａ）乃至（ｃ）は同上間仕切りのコーナ部における起立周縁部の組立工程を示す斜視図であり、（ａ）は展開状態、（ｂ）（ｃ）は起立状態を示す。
【図４】同上間仕切りの組み立て状態の正面斜視図である。
【図５】同上間仕切りの組み立て状態の背面斜視図である。
【図６】同上間仕切りの組み立て状態を示す一部斜視図である。
【図７】同上間仕切りを水平状態に連結した状態の一部斜視図である。
【図８】（ａ）乃至（ｃ）は同上間仕切りの連結状態における結合片部品の取り付け状態を示す正面図であり、（ａ）は結合片の挿入状態、（ｂ）は目隠し用ロック片の挿入状態、（ｃ）は結合状態を示す。
【図９】同上間仕切りの組み立て状態の横断面図である。
【図１０】同上間仕切りの組み立て状態の斜視図である。
【図１１】（ａ）（ｂ）共に同上間仕切りのミシン目を示す正面図である。
【図１２】同上間仕切りの結合片部品の挿入状態の他の例を示す正面図である。
【図１３】（ａ）は同上間仕切りの直交状態の連結状態を示す斜視図、（ｂ）は（ａ）図のＸ−Ｘ線断面図である。
【符号の説明】
【００６３】
１                  ダンボール製間仕切り
２                  板面
３ａ〜３ｄ          折目線
４ａ〜４ｄ          補強用周縁部
４’                起立周縁部
５ａ〜５ｄ          折目線
６ａ〜６ｈ          補強用コーナ片
９                  結合片部品
９ａ                結合片
９ｂ                目隠し用ロック片
１０                ミシン目
１１                ミシン目
１２                挟持用スリット
１３                挟持用スリット
１５ａ〜１５ｌ      結合用長孔
１５ａ’〜１５ｌ’  結合用長孔
１８ａ              上端部
１８ｂ              下端部
Ｔ                  距離
ｔ                  長さ
Ｍ                  中間部
【図１】
2008138391.tif 000003
【図２】
2008138391.tif 000004
【図３】
2008138391.tif 000005
【図４】
2008138391.tif 000006
【図５】
2008138391.tif 000007
【図６】
2008138391.tif 000008
【図７】
2008138391.tif 000009
【図８】
2008138391.tif 000010
【図９】
2008138391.tif 000011
【図１０】
2008138391.tif 000012
【図１１】
2008138391.tif 000013
【図１２】
2008138391.tif 000014
【図１３】
2008138391.tif 000015